(57)【要約】【課題】ハンドルの誤操作時に枠体やラッチ部の損傷を防止する開き窓を提供する。【解決手段】本発明にかかる開き窓１は、枠体３と、開き障子５を備え、開き障子５は戸先側見付面にハンドル台座３３を有し、ハンドル台座３３に取付けたハンドル２９は把持部２９ａとラッチ部２９ｂを有し、枠体３は、内周側にラッチ受け３１を取り付けてあり、ラッチ受け３１は、ラッチ係止部３７と覆い部４０とを有し、覆い部４０は、ラッチ係止部３７と開き障子５との間の気密材保持部１５ｄ（枠体３）の内周面１５ｆを覆っていることを特徴とする開き窓。【選択図】図１
2020023850.tif 000002
【特許請求の範囲】
【請求項１】
枠体と、開き障子を備え、開き障子は戸先側見付面にハンドル台座を有し、ハンドル台座に取付けたハンドルは把持部とラッチ部を有し、枠体は、内周側にラッチ受けを取り付けてあり、ラッチ受けは、ラッチ係止部と覆い部とを有し、覆い部は、ラッチ係止部と開き障子との間の枠体の内周面を覆っていることを特徴とする開き窓。
【発明の詳細な説明】
【技術分野】
【０００１】
本発明は、開き窓に関する。
【背景技術】
【０００２】
特許文献１に、ラッチ部を係止するラッチ受けが枠体の見込面に設けてある開き窓が開示されている。
【先行技術文献】
【特許文献】
【０００３】
【特許文献１】特開２００５−２５６３８６号公報
【発明の概要】
【発明が解決しようとする課題】
【０００４】
しかしながら、ラッチ部がラッチ受けと対向する位置にない状態でハンドル操作を行った場合、枠体やラッチ部を傷つけることがあった。
【０００５】
そこで、本発明は、ハンドルの誤操作時に枠体やラッチ部の損傷を防止する開き窓の提供を目的とする。
【課題を解決するための手段】
【０００６】
請求項１に記載の発明は、枠体と、開き障子を備え、開き障子は戸先側見付面にハンドル台座を有し、ハンドル台座に取付けたハンドルは把持部とラッチ部を有し、枠体は、内周側にラッチ受けを取り付けてあり、ラッチ受けは、ラッチ係止部と覆い部とを有し、覆い部は、ラッチ係止部と開き障子との間の枠体の内周面を覆っていることを特徴とする開き窓である。
【発明の効果】
【０００７】
請求項１に記載の発明によれば、ラッチ係止部と開き障子との間に位置する枠体が樹脂製である場合、ハンドルの誤操作による樹脂枠体の損傷を防止し、ラッチ係止部と開き障子との間に位置する枠体が金属製である場合、ハンドルの誤操作によるラッチ部の損傷を防止する。
【図面の簡単な説明】
【０００８】
【図１】本発明の実施の形態にかかる開き窓であって、図７に示すＡ−Ａ断面図である。
【図２】本発明の実施の形態にかかる開き窓であって、図７に示すＢ−Ｂ断面図である。
【図３】ラッチ受けの図であり、（ａ）はラッチ受けを室外側から見た正面図であり、（ｂ）は（ａ）に示すラッチ受けを内周側から見た側面図、（ｃ）は（ａ）に示すラッチ受けの本体部のＣ−Ｃ断面図であり、（ｄ）はラッチ受けとラッチ部の納まりの関係を示す図である。
【図４】（ａ）、（ｂ）及び（ｄ）は内周側ラッチ誘導面がラッチ部を室外側方向に誘導する過程を示す断面図であり、（ｃ）は（ｂ）に示す状態における力の関係を示す図である。
【図５】（ａ）、（ｂ）及び（ｄ）は見込方向ラッチ誘導部がラッチ部を室外側方向に誘導する過程を示す斜視図であり、（ｃ）は（ｂ）の状態から（ｄ）の状態になるまでのラッチ部の動きを示す図である。
【図６】図７に示す開き窓において、ラッチ受け側の縦枠を内周側から見た側面図である。
【図７】本発明の実施の形態にかかる開き窓を室内側から見た正面図である。
【発明を実施するための形態】
【０００９】
以下に、添付図面を参照して本発明の実施の形態を説明する。  
図７に示すように、本発明の実施の形態にかかる開き窓１は、断熱たて辷り出し窓であり、枠体３と、開き障子５とを備えている。  
本実施の形態において、枠体３は、本体枠１３と、本体枠１３の室内側で内周側に延設されるように設けてある室内側枠部１５とを備える（図１及び図２参照）。本体枠１３は、上枠７と、下枠９と、戸先側縦枠１１と、吊元側縦枠１２を組んである。本体枠１３は金属製であり、具体的にはアルミニウム製である。
図１、図２、及び図７に示すように、室内側枠部１５は、本体枠１３の上枠７、下枠９、戸先側縦枠１１及び吊元側縦枠１２の各室内側で内周側に向けて延設して設けてあり、開き障子５の框（後述する）を隠している。本実施の形態では、戸先側縦枠１１の室内側枠部１５が開き障子５の戸先框２１（後述する）を隠している。  
図２に示すように、上枠７の室内側枠部１５は、中空部１６を有する樹脂材で一体形成されている。下枠９の室内側枠部１５は、枠部本体１５ａとカバー部１５ｂとのソリッド樹脂材を嵌合して中空部１６を形成している。  
図１に示すように、戸先側縦枠１１の室内側枠部１５及び吊元側縦枠１２の室内側枠部１５も、枠部本体１５ａとカバー部１５ｂとのソリッド樹脂材を嵌合して中空部１６を形成している。  
図２に示すように、上枠７の室内側枠部１５は、樹脂框２７（後述する）に対向する位置に樹脂製の気密材保持部１５ｄを有し、本体枠１３の下枠９は、樹脂框２７（後述する）に対向する位置に金属製の気密材保持部１３ａを有する。  
図１に示すように、吊元側縦枠１２の枠部本体１５ａは内周側に向けて立上る内周側立上り部１５ｃを有し、戸先側縦枠１１の枠部本体１５ａはラッチ係止部３７と開き障子５との間で内周側に向けて立上る内周側立上り部１５ｃを有している。また、各内周側立上り部１５ｃは、室外側で樹脂框２７（後述する）に対向する位置に気密材保持部１５ｄを有する。  
気密材保持部１３ａ、１５ｄには、気密材１５ｅが設けてある。
【００１０】
図１及び図２に示すように、開き障子５は、上框１７と、下框１９と、戸先框２１と、吊元框２３を組んであり、各框１７、１９、２１、２３は、室外側に設けた金属框２５と室内側に設けた樹脂框２７とで構成してある。  
図１に示すように、開き障子５の戸先框２１にはハンドル２９（図７参照）が設けてあり、戸先側縦枠１１の室内側枠部１５の内周側には、ラッチ受け３１が設けてあり、ハンドル２９の操作により開き障子５の開閉を行うようにしてある。以下に、ハンドル２９及びラッチ受け３１について説明する。  
【００１１】
図１に示すように、戸先框２１の室内側見付面にはハンドル台座３３が取付けてあり、ハンドル２９はハンドル台座３３に回動軸部２９ｃ（図３（ｄ）参照）を介して回動自在に取付けてある。ハンドル２９は把持部２９ａとラッチ部２９ｂを有し、ラッチ部２９ｂは把持部２９ａの操作により回動する。  
ハンドル２９は樹脂製であり、同様にラッチ部２９ｂも樹脂製である。ただし、ラッチ部２９ｂには、強度を保持するために樹脂内部のうち、後述するラッチ受け３１の補強部材２０に対向する位置にスチール製の部材が内蔵されている。
【００１２】
図１及び図３に示すように、ラッチ受け３１は、樹脂製の本体部３２と、スチール製の補強部材２０と一体に備えている。本体部３２は、凹部３５と、ラッチ係止部３７と、覆い部４０とを備えている。  
凹部３５には、ハンドル台座３３及び解除位置にあるラッチ部２９ｂが室外側から配置されるように、室外側開口部３５ａと内周側開口部３５ｂとが連続して開口する開口部が形成されており、図３（ｂ）に示すように、内周側から見たときに外周側に凹んだコ字形状を成している。図１に示すように、ラッチ係止部３７は凹部３５の枠外周側に設けた室内側溝壁３７ａと室外側溝壁３７ｂとを有し、室内側溝壁３７ａと室外側溝壁３７ｂとの間にラッチ部２９ｂが係脱自在な空間が形成されている。  
図３（ｄ）に示すように、ラッチ受け３１の凹部３５において、二点鎖線で示すようにハンドル２９のラッチ部２９ｂが解除位置にあるときに、ハンドル２９における把持部２９ａの係止方向への回動側と反対側の面である解除方向面２９ｄと対向する対向壁３５ｃとの間に指挟み防止空間Ｓが形成されている。  
図１及び図３（ａ）に示すように、補強部材２０は本体部３２にラッチ係止部３７の室外側と本体部３２の外周側とに重ねて取付けてあり、図１に示すように、水平断面が略Ｌ字形状を成している。補強部材２０は、補強部材２０の外周側部である固定部３９を備えており、固定部３９は、裏板４１と共にねじ３８で本体枠１３の戸先側縦枠１１に固定してある。  
【００１３】
図１に一点鎖線で抜き出して示すように、覆い部４０は、ラッチ係止部３７の室外側溝壁３７ｂから気密材保持部１５ｄよりも室外側に突出している。覆い部４０は、ラッチ係止部３７の室外側溝壁３７ｂと開き障子５との間に位置する内周側立上り部１５ｃの気密材保持部１５ｄの内周面１５ｆを覆っている。  
覆い部４０は、内周側表面の室内側に形成してある室内側平面４０ｈと、室内側平面４０ｈの室外側に形成してある内周側ラッチ誘導面４０ｇを有する。内周側ラッチ誘導面４０ｇは枠体３の室外側ほど室内側平面４０ｈに対して外周側にθ１度傾斜している（図３（ｃ）参照）。θ１は、１度にも満たない程度の微小な角度である。
図３（ｂ）に示すように、覆い部４０は、戸先側縦枠１１の長手方向中間部分である中央部４０ｃと、戸先側縦枠１１の長手方向の一端側の部分である一端部４０ｄと、戸先側縦枠１１の長手方向の他端側の部分である他端部４０ｅとを有しており、中央部４０ｃは、一端部４０ｄと他端部４０ｅとの間に位置する。  
見込方向ラッチ誘導部４０ｆは、中央部４０ｃと一端部４０ｄとの間、及び中央部４０ｃと他端部４０ｅとの間に形成してあり、戸先側縦枠１１の長手方向中間部分（中央部４０ｃ）から覆い部４０の端部（一端部４０ｄ及び他端部４０ｅ）に向かって見込幅が小さくなるように形成してある。見込方向ラッチ誘導部４０ｆの傾斜角度はθ２度である（図５（ｃ）参照）。  
【００１４】
本実施の形態に係る開き窓１の開閉操作について説明する。  
図１及び図３（ｄ）に示すように、開き障子５が閉じ切り状態にあるときには、ハンドル台座３３がラッチ受け３１の本体部３２の凹部３５内に位置し、ハンドル２９の把持部２９ａがラッチ受け３１から室内側枠部１５の内周側で下向きに延出している。この開き障子５の閉じ切り状態から開くときには、図３（ｄ）に矢印Ｅ１で示すように、ハンドル２９の把持部２９ａを上方に回動して、ハンドル２９のラッチ部２９ｂをラッチ受け３１のラッチ係止部３７から外す。これにより、ハンドル２９のラッチ部２９ｂは、ラッチ受け３１の本体部３２の凹部３５に位置するので、そのまま開き障子５の戸先框２１を室外側に押して、ハンドル台座３３及びハンドル２９のラッチ部２９ｂを凹部３５の連続した室外側開口部３５ａ及び内周側開口部３５ｂから室外側へ移動させることで、開き障子５を開く。  
開き障子５を開き位置から締め切るときには、枠体３の室外側に位置する戸先框２１を戸先側縦枠１１に向けて引き、ハンドル台座３３を室内側枠部１５に近づけて、図３（ｄ）に二点鎖線で示すように、ハンドル台座３３及びハンドル２９のラッチ部２９ｂをラッチ受け３１の本体部３２の連続した室外側開口部３５ａ及び内周側開口部３５ｂから凹部３５に配置し、図３（ｄ）に示す矢印Ｅ１と反対側に回動して、実線で示すように、ハンドル２９の把持部２９ａを押し下げて、ラッチ部２９ｂをラッチ係止部３７に係止させる。  
【００１５】
適正ではない位置でハンドル２９の把持部２９ａを操作する場合、例えば開き障子５が閉じきらない状態でハンドル２９の把持部２９ａを操作する場合について説明する。
まず、図４（ａ）で示すようにハンドル台座３３を矢印Ｙ１で示すように室内側枠部１５に近づけ、ラッチ部２９ｂが覆い部４０に対向する位置でハンドル２９の把持部２９ａを係止方向に回動すると、図４（ｂ）に示すようにラッチ部２９ｂは内周側ラッチ誘導面４０ｇに当接する。
図４（ｂ）に示す状態からハンドル２９の把持部２９ａを矢印Ｅ２に示すように回動すると、図４（ｃ）に示すようにラッチ部２９ｂが内周側ラッチ誘導面４０ｇを力Ｆ１（斜面を押す力）で押すため、ラッチ部２９ｂは力Ｆ２（傾斜に沿う力）で室外側に誘導される。その結果、内周側ラッチ誘導面４０ｇはラッチ部２９ｂを室外側に押し出し、図４（ｄ）に示すように開き障子５を矢印Ｙ２に示すように室外側に押し出す。
【００１６】
次に、ラッチ部２９ｂの先端が覆い部４０の室外側端面に当接した状態で、ハンドル２９の把持部２９ａを係止方向に回動する場合について説明する。  
まず、図５（ａ）に示すように、開き障子５が開き位置でハンドル２９の把持部２９ａが斜めに突出した状態で、矢印Ｙ３に示すようにハンドル台座３３をラッチ受け３１に近づける。
この場合、図５（ｂ）に示すように、ラッチ部２９ｂは、覆い部４０の見込方向ラッチ誘導部４０ｆ又は一端部４０ｄに室外側から当接し、ハンドル台座３３のそれ以上の室内側への移動が阻止される。ラッチ部２９ｂが見込方向ラッチ誘導部４０ｆ又は一端部４０ｄに当接した状態でハンドル２９の把持部２９ａを矢印Ｅ３で示すように回動すると、図５（ｃ）に示すように、ラッチ部２９ｂは力Ｆ３（押し上げる力）で押し上げられるため、見込方向ラッチ誘導部４０ｆに沿って室外側に誘導され、室外側に押し出される。そして、さらにハンドル２９の把持部２９ａを矢印Ｅ３で示すように回動すると（図５（ｂ）参照）、ラッチ部２９ｂが室外側にさらに押し出され、ラッチ部２９ｂは中央部４０ｃの室外側に位置するようになる（図５（ｃ）（ｄ）参照）。
【００１７】
次に、本実施の形態に係る開き窓１の効果について説明する。  
図１に示すように、覆い部４０は、ラッチ係止部３７の室外側溝壁３７ｂと開き障子５との間に位置する枠部本体１５ａの内周側立上り部１５ｃの気密材保持部１５ｄの内周面１５ｆを覆っているから、ラッチ部２９ｂがラッチ係止部３７に対向する位置にない状態でハンドル２９の操作をした（ハンドルを誤操作した）場合にはラッチ部２９ｂは覆い部４０で受けるため、ラッチ部２９ｂと気密材保持部１５ｄとの衝突を防止できる。
このため、枠部本体１５ａが樹脂製である場合、ハンドル２９の誤操作による枠部本体１５ａ（気密材保持部１５ｄ）の損傷を防止でき、枠部本体１５ａが金属製である場合、ハンドル２９の誤操作によるラッチ部２９ｂの損傷を防止できる。
特に、本実施の形態では、枠部本体１５ａは樹脂製であるため、枠部本体１５ａにおける気密材保持部１５ｄに、ラッチ部２９ｂが衝突することによる樹脂製の気密材保持部１５ｄの損傷を防止できる。
【００１８】
図１に示すように、覆い部４０の内周側ラッチ誘導面４０ｇは、枠体３の室外側ほど外周側に傾斜しているから、図４（ｂ）−（ｄ）に示すように、ラッチ部２９ｂが内周側ラッチ誘導面４０ｇに当接した状態で、ハンドル２９の把持部２９ａを係止方向に回動した場合、ラッチ部２９ｂを室外側に誘導し、室外側に押し出すことができる。
図３（ｂ）に示すように、覆い部４０は、中央部４０ｃと一端部４０ｄとの間及び中央部４０ｃと他端部４０ｅとの間に、覆い部４０における中央部４０ｃから一端部４０ｄ及び他端部４０ｅに向かって見込幅が小さくなる見込方向ラッチ誘導部４０ｆが形成してあるから、ラッチ部２９ｂが覆い部４０の見込方向ラッチ誘導部４０ｆ又は一端部４０ｄに室外側から当接した状態で、ハンドル２９の把持部２９ａを係止方向に回動した場合に、見込方向ラッチ誘導部４０ｆに沿ってラッチ部２９ｂを室外側に誘導し、室外側に押し出すことができる（図５（ｃ）参照）。
覆い部４０には、中央部４０ｃと一端部４０ｄとの間及び中央部４０ｃと他端部４０ｅとの間に見込方向ラッチ誘導部４０ｆが形成されているから、左右勝手が良く、ラッチ受け３１を右側の縦枠１１に設ける場合と左側の縦枠１２に設ける場合とでラッチ部２９ｂの回動方向が異なる場合において、ラッチ受け３１を左右の縦枠１１、１２いずれにも適用できる。
【００１９】
図７に示すように、開き窓１は、ハンドル台座３３を室内側枠部１５で遮蔽するので、室内側からの意匠性が良い。  
図３（ｄ）に示すように、ラッチ受け３１には、ハンドル２９の係止解除状態における把持部２９ａ（図３（ｄ）に二点鎖線で示す）の側方に、指挟み防止空間Ｓが形成されているので、把持部２９ａの操作時における指Ｙの挟みを防止できる。  
図１及び図２に示すように、上枠７、下枠９、戸先側縦枠１１及び吊元側縦枠１２の各室内側で内周側に延設されるように設けた各室内側枠部１５は中空部１６を有しているから、断熱性を高めることができる。  
【００２０】
本発明は、上述した実施の形態に限らず、本発明の要旨を逸脱しない範囲で種々変形可能である。  
例えば、開き窓１はたて辷り出し窓に限らず、外開き窓や、内開き窓、回転窓等の障子が枠体３に対して内外方向に開く窓であれば良い。
見込方向ラッチ誘導部４０ｆは、係止方向にハンドル２９の把持部２９ａを回動した際にラッチ部２９ｂが接してくる方向にあればよく、必ずしも中央部４０ｃと一端部４０ｄとの間及び中央部４０ｃと他端部４０ｅとの間の２箇所に形成される必要はない。
開き窓１の枠体３の戸先枠が下枠９であり、開き障子５の戸先框が下框１９の場合には、下枠９にラッチ受け３１を設け、下框１９にハンドル台座３３及びハンドル２９を設ける構成にすることができる。同様に、開き窓１の枠体３の戸先枠が上枠７であり、開き障子５の戸先框が上框１７の場合には、上枠７にラッチ受け３１を設け、上框１７にハンドル台座３３及びハンドル２９を設ける構成にすることができる。また、図１において、左側の縦枠１２が戸先枠であり、左側の框２３が戸先框である場合には、縦枠１２にラッチ受け３１を設け、框２３にハンドル台座３３及びハンドル２９を設ける構成にすることができる。
枠体３は、本体枠１３を金属製の枠とし、室内側枠部１５を樹脂製の枠としたが、これに限らず、本体枠１３と室内側枠部１５を共に金属製の枠としたり、共に樹脂製の枠としても良く、枠体３の材質は制限されない。
【符号の説明】
【００２１】
１    開き窓
３    枠体
５    開き障子
１５ｄ    気密材保持部
１５ｆ  内周面
２９  ハンドル
２９ａ  把持部
２９ｂ  ラッチ部
３１  ラッチ受け
３３  ハンドル台座
３７  ラッチ係止部
４０  覆い部
【図１】
2020023850.tif 000003
【図２】
2020023850.tif 000004
【図３】
2020023850.tif 000005
【図４】
2020023850.tif 000006
【図５】
2020023850.tif 000007
【図６】
2020023850.tif 000008
【図７】
2020023850.tif 000009